【事件の表示】
　特願２００８−１５７８７４号「加熱調理器」拒絶査定不服審判事件〔平成２１年１２月２４日出願公開、特開２００９−３０００５６号〕について、次のとおり審決する。
【結　論】
　本件審判の請求は、成り立たない。
【理　由】
１．手続の経緯・本願発明
　本願は、平成２０年６月１７日の出願であって、その請求項１に係る発明は、平成２５年１１月１８日付け手続補正書により補正された特許請求の範囲の請求項１に記載された次のとおりのものである（以下「本願発明」という。）。
「上面が開口する略箱状をした本体ケーシングと、本体ケーシングの上端部に配設して該本体ケーシングの上面の開口を閉塞する天板と、本体ケーシング内に設けられるグリルと、調理物を加熱する加熱手段と、加熱手段による加熱調理をするための操作を行う操作部と、を備えた加熱調理器であって、本体ケーシングの上面の開口の前端部に上方に突出又は露出するように操作部を本体ケーシングに固定し、天板を平面視において前記操作部を避けた位置で且つ本体ケーシングの操作部よりも後側に設け、天板にグリルからの排気を排出する排気口が形成されており、本体ケーシングに固定された操作部から独立して天板を本体ケーシングに着脱可能とすることを特徴とする加熱調理器。」
　
２．引用刊行物
（１）引用刊行物１
　これに対して、当審で通知した拒絶の理由に引用され、本願出願前に頒布された特許第３７５７３６２号公報（以下「引用刊行物１」という。）には、図１〜１８とともに以下の事項が記載されている。
ア．「上面に開口部を有する本体ケースと、該本体ケース内で開口部位置に配設された複数の加熱用コイルと、該本体ケースの上面に配設される平板状の天板とを備えてなる加熱調理器において、
　前記本体ケースに前記開口部を覆うように前記天板の外周縁を取付ネジにより着脱自在に取り付け、前記本体ケースと前記天板の外周縁との間に前記取付ネジが貫通する前記本体ケースの開口部より一回り大きい枠状の防水パッキンを介在させたことを特徴とする加熱調理器。」（請求項１）
イ．「図において、１は流し台２に組み込まれた誘導加熱調理器である。３は誘導加熱調理器１の上面に開口部を有する本体ケース、４は本体ケース３の開口部の下方に形成された発熱体収容室、５は本体ケース３の前側下方に形成され、発熱体収容室４に併設された表示体収容室、６は誘導加熱調理器１の後側の左右にそれぞれ設けられ、外気を本体ケース３に導入する外気導入路である。・・・（中略）・・・
１２は本体ケース３の前側に設けられたドア１３を有するグリラー、・・・（中略）・・・１６ａ、１６ｂはグリラー１２の前方下側に設けられた調理器用操作ツマミ及びグリラー用操作ツマミ、１７はグリラー１２の前方上側に設けられた表示部である。
１８は本体ケース３の前側上面に設けられたランプ点灯具合で出力電力量を表示する出力表示部、１９は本体ケース３の前側上面に設けられたタイマ時間及び温度を表示する温度・タイマ表示部である。・・・（中略）・・・
　２１は発熱体収容室４内にそれぞれ配設された３つのコイル保持台、２２は各コイル保持台２１に保持された発熱体である誘導加熱コイルで、誘導加熱コイルの上面は上部本体ケース３の開口面と面一となっている。・・・（中略）・・・
２５は本体ケース３の開口部周縁に形成された水平な天板支持部、２６は天板支持部２５の各隅角部に設けられたネジ穴、２７は本体ケース３の外周縁が下向きに折り曲げられて形成されたクッション取付用フランジ、２８はクッション取付用フランジ２６の内側に例えば接着剤で固着された本体用クッションである。
　・・・（中略）・・・
　そして、取付ネジ３５を天板３０の取付穴３１から入れて保護用クッション４０を介して天板支持部２５のネジ穴２６にネジ止めして本体ケース３に天板３０が取り付られている。
こうして天板３０が本体ケース３に取り付けられて誘導加熱調理器１が構成される。そして、このように構成された誘導加熱調理器１は図１に示すように流し台２にセットされる。
・・・（中略）・・・
　上記のように構成された誘導加熱調理器１は、グリラー１２の前方下側に設けられた調理器用操作ツマミ１６ａを操作すると、・・・（中略）・・・誘導加熱コイル２２が発生する高周波磁界が天板３０上に載置した調理用鍋（図示省略）に鎖交すると、調理用鍋が誘導加熱され発熱する。こうして調理用鍋内に収容した調理物は調理される。」（段落【００２３】〜【００２８】）
ウ．「誘導加熱調理器１の天板３０に調理用鍋が当たったり、食器棚等より食器類が落下したり等でヒビや割れが生じ、サービス修理時に天板３０を交換する場合、天板３０と本体ケース３の天板支持部２５とを固着している取付ネジ３５を緩めることにより、簡単に本体ケース３から天板３０を分離することができるため、天板３０単体の交換を容易に行うことができ、リサイクル処理も容易に行うことができる。」（段落【００３２】）
エ．図１及び２には、本体ケース３の上面の開口部が天板支持部２５とともに天板３０で覆われる様子、及び出力表示部１８及び温度・タイマ表示部１９が本体ケース３の前側上面で、天板３０に重ならない位置に配置される様子が図示される。
オ．上記イ．の「１２は本体ケース３の前側に設けられたドア１３を有するグリラー」との記載及び図２から、グリラー１２が本体ケース３の前側に設けられることが認められ、そうすると「１６ａ、１６ｂはグリラー１２の前方下側に設けられた調理器用操作ツマミ及びグリラー用操作ツマミ」から、調理器用操作ツマミ１６ａは本体ケース３の前側に設けられているといえる。
　上記ア．〜ウ．の記載事項、エ．の図示内容及びオ．で検討した事項を総合すると、引用刊行物１には、以下の発明（以下「引用発明」という。）が記載されていると認められる。
「上面に開口部を有する本体ケース３と、
本体ケース３の上面に配設される、天板支持部２５とともに本体ケース３の上面の開口部を覆う平板状の天板３０と、
本体ケース３内に設けられるグリラー１２と、
調理用鍋を誘導加熱する誘導加熱コイル２２と、
本体ケース３の前面に設けられる誘導加熱コイル２２により誘導加熱する操作をする調理器用操作ツマミ１６ａと、
ランプによる出力表示部１８と、
を備えた加熱調理器１であって、
本体ケース３の前側上面で天板３０に重ならない位置に出力表示部１８が設けられ、
天板３０は出力表示部１８が設けられる天板支持部２５から着脱自在である
加熱調理器１。」
　
（２）引用刊行物２
　同じく特開平１−２４１７８８号公報（以下「引用刊行物２」という。）には、第１〜７図とともに以下の事項が記載されている。
ア．「この種の誘導加熱調理器の構成は・・・（中略）・・・、本体１１上面の天板１２には銅等の非加熱物を載置する加熱部１３を備え、加熱部１３の下方には、加熱コイル１５を設けている。また天板１２の前方には、加熱コイル１５の出力調節を行う電子コントロール装置１４を備えてなるものであった。」（第１頁右欄第５〜１１行）
　
３．対比・判断
　本願発明と引用発明とを対比すると、後者の「上面に開口部を有する本体ケース３」はその機能・構成からみて、前者の「上面が開口する略箱状をした本体ケーシング」に相当し、以下同様に、後者の「本体ケース３内に設けられるグリラー１２」は前者の「本体ケーシング内に設けられるグリル」に、後者の「調理用鍋を誘導加熱する誘導加熱コイル２２」は前者の「調理物を加熱する加熱手段」にそれぞれ相当する。
　また、後者の平板状の天板３０について、「本体ケース３の上面に配設され」「、天板支持部２５とともに本体ケース３の上面の開口部を覆う」との態様は、前者の天板についての「本体ケーシングの上端部に配設して該本体ケーシングの上面の開口を閉塞する」態様に相当する。
　後者の「出力表示部１８」についての「本体ケース３の前側上面で天板３０に重ならない位置に出力表示部１８が設けられ」る配置は、前者の「操作部」についての「本体ケーシングの上面の開口の前端部に上方に」「露出するように」「本体ケーシングに固定」する配置と同様である。
　後者の「誘導加熱コイル２２により誘導加熱する操作をする調理器用操作ツマミ１６ａ」はその機能からみて前者の「加熱手段による加熱調理をするための操作を行う操作部」に相当する。
　そして、前者の「加熱手段による加熱調理をするための操作を行う操作部」は制御部と配線されるもの（本願明細書段落【０００５】等参照。）であるから、後者の「ランプによる出力表示部１８」と前者の「加熱手段による加熱調理をするための操作を行う操作部」とは、電装品が配設された部材である点で共通する。
　さらに、後者の「天板３０」と「出力表示部１８」は重ならない位置に設けられるから「天板３０」は「出力表示部１８」を避けた位置に設けられるといえ、且つ後者の「出力表示部１８」は「ケースの前側上面」に設けられるから、「天板３０」は「出力表示部１８」よりも後方に設けられるものといえる。そうすると、後者の「出力表示部１８」と前者の「操作部」とは、天板が、本体ケーシングの平面視において、電装品が配設された部材を避けた位置で且つ本体ケーシングの当該部材よりも後側に設けられた点においても共通している。
　そして、後者の「天板３０は出力表示部１８が設けられる天板支持部２５から着脱自在である」ことと、前者の「本体ケーシングに固定された操作部から独立して天板を本体ケーシングに着脱可能とする」ことは、「本体ケーシングに固定された」電装品が配設された部材「から独立して天板を本体ケーシングに着脱可能とする」点で共通する。
　そうすると、両者は、
「上面が開口する略箱状をした本体ケーシングと、
本体ケーシングの上端部に配設して該本体ケーシングの上面の開口を閉塞する天板と、
本体ケーシング内に設けられるグリルと、
調理物を加熱する加熱手段と、
加熱手段による加熱調理をするための操作を行う操作部と、
を備えた加熱調理器であって、
本体ケーシングの上面の開口の前端部に上方に露出するように電装品が配設された部材を本体ケーシングに固定し、
天板を平面視において前記電装品が配設された部材を避けた位置で且つ本体ケーシングの電装品が配設された部材よりも後側に設け、
本体ケーシングに固定された電装品が配設された部材から独立して天板を本体ケーシングに着脱可能とする加熱調理器。」である点で一致し、以下の点で相違しているものと認められる。
　
相違点Ａ：電装品が配設された部材に関して、本願発明が「加熱手段による加熱調理をするための操作を行う操作部」であるのに対し、引用発明は「ランプによる出力表示部１８」であり、引用発明は「誘導加熱コイル２２により誘導加熱する操作をする調理器用操作ツマミ１６ａ」を「本体ケース３の前面に設け」ている点。
相違点Ｂ：本願発明が「天板にグリルからの排気を排出する排気口が形成されて」いるのに対し、引用発明は「本体ケース３内に設けられるグリラー１２」を有すもののその排気口の位置が不明である点。
　
　そこで、上記相違点について検討する。
（１）相違点Ａについて
　引用刊行物２には、誘導加熱調理器において、本体１１上面の天板１２の前方に加熱コイル１５の出力調節を行う電子コントロール装置１４を備えることが記載されており、天板１２の前方であるから、電子コントロール装置１４は本体１１上面の前端部に上方に露出するように設けられるものであって、天板１２は平面視において電子コントロール装置１４を避けた位置で且つ本体１１上面の電子コントロール装置１４よりも後側に設けられるものといえる。
　引用刊行物２の電子コントロール装置１４は引用発明の調理器用操作ツマミ１６ａと同じく本願発明の加熱調理器の操作部に相当し、さらに、引用発明は、「出力表示部１８」を引用刊行物２に記載の電子コントロール装置１４と同様の位置に配置するものであるから、引用刊行物２に記載の事項に倣って、操作部を「出力表示部１８」の位置に設けて、相違点Ａに係る本願発明の構成とすることは当業者が当業者が容易になし得たことである。
　そしてその効果についても格別とはいえない。
　
（２）相違点Ｂについて
　引用発明は本体ケース３内にグリラー１２を設けるものであり、グリラー１２内からの排気のために排気口が必要なことは自明である。
　そして、例えば、特許第３８７２７３２号公報、特開平１０−１３２２９７号公報及び特開２００５−２１４５７７号公報等に示されるように、加熱調理器の取り外し可能な天板にグリルの排気口を設けることは、当該技術分野において周知の事項であるから、引用発明の天板にグリルの排気口を設けて、相違点Ｂに係る本願発明の構成とすることは当業者が容易になし得たことであって、その効果についても格別とはいえない。
　
　そして、相違点Ａ及びＢを合わせみても、その効果が格別であるとはいえない。
　
４．むすび
　以上のとおり、本願発明は、引用発明、引用刊行物２に記載された事項及び周知の事項に基づいて、当業者が容易に発明をすることができたものであるから、特許法第２９条第２項の規定により特許を受けることができない。
　よって、結論のとおり審決する。